(57)【要約】【課題】本発明は超低周波音の発生を防止した篩装置を提供する。【解決手段】篩面を振動させる篩装置の篩枠体の側板に、複数の開口部、好ましくは空気の流動が円滑な楕円形を含む円形で、当該板面内に均等に配置されている、を有する金属などの板状部材を重ね合うように、前記篩装置の篩枠体の側板に対して所定の間隔を設けて均一な音圧が得られるように取り付ける。【選択図】図３
2005238179.tif 000002
【特許請求の範囲】
【請求項１】
篩枠体の側板に複数の開口部を有する板状部材を重ね合うように、
前記側板に対して所定の間隔を設けて取り付けたことを特徴とする篩装置。
【請求項２】
前記板状部材の開口部は円形で、板面内に均等に配置されていることを特徴とする請求項１記載の篩装置。
【発明の詳細な説明】
【技術分野】
【０００１】
本発明は、超低周波音の発生を防止する部材を取り付けた篩装置に関する。
【背景技術】
【０００２】
超低周波音は物体が振動したり、列車がトンネル内に突入した際の空気の直接的圧力変化によって生じ、音圧レベルが大きくなると人に感知されたり、物体を振動させるようになる。
【０００３】
音圧レベルは振動する物体の大きさに依存し、特に製鉄所で用いられる振動篩のように大型の装置の場合、近隣する住居の建具を振動させ、生活環境を低下させる場合があるので、対策が必要とされる。
【０００４】
非特許文献１には、超低周波音の発生原、発生原因および低減対策が記載され、振動篩の場合は、振動面積の低減、空気圧バランス、補剛、遮音、回転数制御が有効な低減対策であることが示されている。
【０００５】
特許文献１は、超低周波音の発生を防止した篩装置に関し、篩面の絶対振動面積を減少させて音圧波を低減させるとともに、篩面外に設けた開口部を通して逆位相の音圧波と緩衝させ、互いに相殺して発生した超音波を消滅させる篩装置が記載されている（図４）。
【０００６】
特許文献２は、泥水処理プラントで用いる泥水分級脱水用振動篩装置に関し、背板の構造体としての機能を失わない範囲で、篩網板を横架した篩本体の背板に開口部を設け、背板の振動による空気の粗密波の発生有効面積を減少させ、超低周波音の発生を抑制させることが記載されている（図５）。  
【非特許文献１】中野有朋著「超低周波音と低周波音」環境管理Ｖｏｌ．３６，Ｎｏ．４（２０００）Ｐ６９〜Ｐ７９
【特許文献１】公開実用昭和５６−１７９７６号公報
【特許文献２】公開実用昭和６４−３６０８４
【発明の開示】
【発明が解決しようとする課題】
【０００７】
特許文献１、２に記載の篩装置は、振動面積を低減させて超低周波音の音圧をさげたり、空気圧バランスにより発生した超低周波音を相殺し消滅させるものであるが、篩装置本来の機能が損なわれ、構造的に複雑となる。また、既設の篩装置が、操業条件の変化により新たに超低周波音が発生するようになった場合に対応できない。
【０００８】
本発明は、篩装置本来の機能を損なわずに超低周波音の発生を抑制することが可能な部材を取り付けた篩装置提供することを目的とする。
【課題を解決するための手段】
【０００９】
本発明の課題は、以下の手段により解決される。
１篩枠体の側板に複数の開口部を有する板状部材を重ね合うように、前記側板に対して所定の間隔を設けて取り付けたことを特徴とする篩装置。
２前記板状部材の開口部は円形で、板面内に均等に配置されていることを特徴とする１記載の篩装置。
【発明の効果】
【００１０】
本発明によれば、篩装置本来の機能を損なわずに超低周波音の発生を抑制できるようになるので、産業上極めて有用である。
【発明を実施するための最良の形態】
【００１１】
図１は振動篩装置の一例を示す図で、振動篩装置１は振動発生機２と振動発生機２により上下左右に振動するふるい面３を備え、ふるい面３を支持する側板４が超低周波音を発生する振動面となる。
【００１２】
本発明に係る篩装置は、人に感知されない水準までに超低周波音の音圧レベルを下げることが可能な超低周波音発生防止部材を、篩装置において超低周波音を発生する振動面となる側板などに取り付けることを特徴とする。超低周波音発生防止部材は板状部材で板の表裏面に挿通する複数の開口部を、板面に均等に位置するように設ける。
図３は超低周波音発生防止部材の動作原理を示す図で、図１に示した振動篩装置１の側板４に、超低周波音発生防止部材５を取り付け、振動方向に対して直角方向から観察した状態を模式的に示す。
【００１３】
図３（ａ）において側板４が矢印方向に移動すると、側板４と超低周波音発生防止部材５との間隙は空気圧の変動が抑えられるが（図では（0）と表示）、超低周波音発生防止部材５の前面には空気圧の高い状態（図では（＋）と表示）が生じる。しかし、開口部６が設けられているため次の瞬間には空気が移動し、周囲の空気と混同して空気圧の高い状態が緩和される。
図３（ｂ）において側板４が矢印方向に移動すると、側板４と超低周波音発生防止部材５との間隙は空気圧の変動が抑えられるが（図では（0）と表示）、超低周波音発生防止部材５の前面に空気圧が低い状態（図では（ー）と表示）が生じる。しかし、開口部６が設けられているため、側板４の移動につれ、側板４と超低周波音発生防止部材５との間隙から流入してくる空気が周囲の空気と混同し空気圧の低い状態が緩和される。
【００１４】
超低周波音発生防止部材５では、開口部６の面積や個数を調整して、移動方向となる空気の圧力状態を制御することが可能で、その結果、超低周波音の音圧レベルを人が感知できない水準とすることができる。
【００１５】
図２に、図１に示した振動篩装置１の側板４に超低周波音発生防止部材５を間隔ｄを設けて、略平行に取り付けた状態を示す。間隔ｄを広くしたり、狭くしても音圧レベルを調整することが可能である。
【００１６】
超低周波音発生防止部材５の開口部６は空気の流動が円滑な円形(本発明では楕円形も含む)とすることが望ましい。側板４に取り付ける場合は超低周波音発生防止部材５の全面で均一な音圧が得られるように取り付けることが望ましい。
【実施例１】
【００１７】
振動する板に板状部材を取り付け、板状部材の面積に対する開口部の面積率（開口面積比率）、振動板と板状部材の取り付け間隔ｄが超低周波音の音圧レベルに及ぼす影響を調査した。実験は図１に示した振動篩装置を用い、開口部の形状は円形とした。表１〜３に実験結果を示す。開口面積比率、取り付け間隔によって超低周波音の音圧レベルが変化することが確認された。尚、表中の12.5Hz帯は１／３オクターフ゛ハ゛ント゛での中心周波数12.5Ｈｚ（帯域幅(Hz):下限11.2、上限14）を指すものとする。
【００１８】
【表１】
2005238179.tif 000003
【００１９】
【表２】
2005238179.tif 000004
【００２０】
【表３】
2005238179.tif 000005
【図面の簡単な説明】
【００２１】
【図１】振動篩装置を示す図。
【図２】超低周波音発生防止部材の一例を示す図。
【図３】超低周波音発生防止部材の作動原理を示す図。
【図４】従来例
【図５】従来例
【符号の説明】
【００２２】
１            振動篩装置
２            振動発生機
３            ふるい面
４            側板
５            超低周波音発生防止部材
６            開口部
１００        振動篩
２００        背板
３００ａ，ｂ  ふるい面
６００ａ，ｂ  開口部
【図１】
2005238179.tif 000006
【図２】
2005238179.tif 000007
【図３】
2005238179.tif 000008
【図４】
2005238179.tif 000009
【図５】
2005238179.tif 000010